(57)【要約】【課題】軽量形鋼材の形状如何にかかわらず軽量形鋼材に取り付けることができる長尺物保持具及び長尺物保持具の軽量形鋼材への設置方法を提供する。【解決手段】保持具本体５は、電線管を保持可能な保持部４と、軽量形鋼材Ｐの背面板部Ｐｂ又はリップ部Ｐｄに当接する取付台座２とを備える。さらに、保持具本体５には、取付台座２の一側面２ａから取付台座２に対して直交するように延設され、取付台座２を軽量形鋼材Ｐの背面板部Ｐｂ又はリップ部Ｐｄに当接させた状態で、取付台座２が当接された背面板部Ｐｂ又はリップ部Ｐｄに対して隣接し、かつ直交する側板部Ｐｃに当接する突出部３が設けられている。そして、突出部３には、突出部３を取付台座２から分断するために機能する分断補助部としての被把持部２１ｃ及び被係合部が設けられている。【選択図】図２
2008089050.tif 000002
【特許請求の範囲】
【請求項１】
複数の軽量形鋼材を間隔をおいて立設し、前記複数の軽量形鋼材を挟むように壁材を立設してなる軽量間仕切壁内に配設される長尺物を保持する長尺物保持具であって、
前記軽量形鋼材に固定される保持具本体を備え、該保持具本体は、前記軽量形鋼材の壁部の外壁面に当接する当接部と、前記長尺物を保持可能な保持部とを備え、前記保持具本体には、該保持具本体の一側面から前記当接部に対して直交するように延設され、前記当接部を前記軽量形鋼材の壁部の外壁面に当接させた状態で、前記軽量形鋼材において前記当接部が当接された壁部に対して隣接し、かつ直交する壁表側の別の壁部の外壁面に当接する突出部が設けられ、前記突出部を前記保持具本体から分断するために機能する分断補助部を突出部に備えた長尺物保持具。
【請求項２】
複数の軽量形鋼材を間隔をおいて立設し、前記複数の軽量形鋼材を挟むように壁材を立設してなる軽量間仕切壁内に配設される長尺物を保持する長尺物保持具であって、
前記軽量形鋼材に固定される保持具本体を備え、該保持具本体は、前記軽量形鋼材の壁部の外壁面に当接する当接部と、前記長尺物を保持可能な保持部とを備え、前記保持具本体には、該保持具本体の一側面から前記当接部に対して直交するように延設され、前記当接部を前記軽量形鋼材の壁部の外壁面に当接させた状態で、前記軽量形鋼材において前記当接部が当接された壁部に対して隣接し、かつ直交する壁表側の別の壁部の外壁面に当接する突出部が設けられ、前記別の壁部の外壁面に当接した突出部を該別の壁部の外壁面上から排除するために前記突出部を前記保持具本体に向けて回動可能に構成した長尺物保持具。
【請求項３】
前記突出部は、前記軽量形鋼材を手により掴んだときに手で押圧可能な形状である請求項１又は請求項２に記載の長尺物保持具。
【請求項４】
前記当接部には、前記当接部が軽量形鋼材の壁部の外壁面に当接するとともに前記突出部が軽量形鋼材の壁表側の別の壁部の外壁面に当接しているときに前記当接部が当接した壁部と対向する位置に、前記当接部を前記軽量形鋼材に固定する固定部材を挿通可能な固定孔が形成されている請求項１〜請求項３のうちいずれか一項に記載の長尺物保持具。
【請求項５】
前記軽量形鋼材の壁部は、該軽量形鋼材の立設方向へ延びる開口部を形成する一対のリップ部よりなり、前記固定孔は、前記軽量間仕切壁の壁表側に位置する一方のリップ部と対向する位置に形成されている請求項４に記載の長尺物保持具。
【請求項６】
前記当接部と前記保持部とは、別体である請求項１〜請求項５のうちいずれか一項に記載の長尺物保持具。
【請求項７】
複数の軽量形鋼材を間隔をおいて立設し、前記複数の軽量形鋼材を挟むように壁材を立設してなる軽量間仕切壁内に配設される長尺物を保持する長尺物保持具の前記軽量形鋼材への設置方法であって、
前記長尺物保持具は、前記軽量形鋼材の壁部の外壁面に当接する当接部と、前記長尺物を保持可能な保持部とを備えるとともに前記軽量形鋼材に固定される保持具本体と、該保持具本体に設けられ前記保持具本体の一側面から前記当接部に対して直交するように延設された突出部とを備え、
前記当接部を軽量形鋼材の壁部の外壁面に当接させ、前記突出部を前記軽量形鋼材において前記当接部が当接された壁部に対して隣接し、かつ直交する壁表側の別の壁部の外壁面に当接させ、前記当接部を前記軽量形鋼材に固定した後、前記突出部を前記当接部から分断し、前記突出部を前記保持具本体から除去する長尺物保持具の軽量形鋼材への設置方法。
【請求項８】
複数の軽量形鋼材を間隔をおいて立設し、前記複数の軽量形鋼材を挟むように壁材を立設してなる軽量間仕切壁内に配設される長尺物を保持する長尺物保持具の前記軽量形鋼材への設置方法であって、
前記長尺物保持具は、前記軽量形鋼材の壁部の外壁面に当接する当接部と、前記長尺物を保持可能な保持部とを備えるとともに前記軽量形鋼材に固定される保持具本体と、該保持具本体に設けられ前記保持具本体の一側面から前記当接部に対して直交するように延設された突出部とを備え、
前記当接部を軽量形鋼材の壁部の外壁面に当接させ、前記突出部を前記軽量形鋼材において前記当接部が当接された壁部に対して隣接し、かつ直交する壁表側の別の壁部の外壁面に当接させ、前記当接部を軽量形鋼材に固定した後、前記突出部を前記保持具本体に向けて回動させ、突出部を別の壁部の外壁面上から排除する長尺物保持具の軽量形鋼材への設置方法。
【発明の詳細な説明】
【技術分野】
【０００１】
本発明は、長尺物保持具及び長尺物保持具の軽量形鋼材への設置方法に関する。
【背景技術】
【０００２】
軽量間仕切壁は、間隔をおいて立設された複数の軽量形鋼材を挟むように壁材が立設されて構築されるものである。この軽量間仕切壁に配線器具を設置する際には、前記壁材を立設する前に、軽量形鋼材に取り付けられた配線ボックスに長尺物である配管材を接続しておく。そして、特許文献１には、この配管材を軽量形鋼材の立設方向に沿うように支持する配管支持装置が提案されている。
【０００３】
特許文献１に記載の配管支持装置は、立設方向と直交する方向の平断面視において略コ字状のリップ溝型鋼（軽量形鋼材）に対し取付可能に構成されている。すなわち、この配管支持装置は、リップ溝型鋼の底部内側とリップ部との間に介して強制圧着する圧着体と、リップ溝型鋼のリップ部に挟着する挟着部と、配管を支持する支持部材を連結する連結部とからなっている。そして、この配管支持装置は、圧着体をリップ溝型鋼の開口側からリップ溝型鋼の内部に挿入してリップ溝型鋼に強制圧着させるとともに挟着部をリップ部に挟着させることで、リップ溝型鋼の開口側に取り付けられるように構成されている。
【特許文献１】特開平７−２９３７５０号公報
【発明の開示】
【発明が解決しようとする課題】
【０００４】
ところが、特許文献１に記載の配管支持装置は、圧着体をリップ溝型鋼の内部に挿入する必要があり、さらに、リップ部を利用しなければ、リップ溝型鋼に取着することができず、開口を備えたタイプの軽量形鋼材（リップ溝型鋼）の開口側にしか取り付けることができない。また、軽量形鋼材として、開口を有するリップ溝型鋼以外にも立設方向と直交する方向の平断面視において四角枠状をなす角型鋼が用いられることもある。しかし、角型鋼は、開口を備えず、またリップ部を備えないため、特許文献１に記載の配管支持装置を取り付けることができない。
【０００５】
本発明は、前記従来の問題に鑑みてなされたものであって、その目的は、軽量形鋼材の形状如何にかかわらず軽量形鋼材に取り付けることができる長尺物保持具及び長尺物保持具の設置方法を提供する。
【課題を解決するための手段】
【０００６】
上記問題点を解決するために、請求項１に記載の発明は、複数の軽量形鋼材を間隔をおいて立設し、前記複数の軽量形鋼材を挟むように壁材を立設してなる軽量間仕切壁内に配設される長尺物を保持する長尺物保持具であって、前記軽量形鋼材に固定される保持具本体を備え、該保持具本体は、前記軽量形鋼材の壁部の外壁面に当接する当接部と、前記長尺物を保持可能な保持部とを備え、前記保持具本体には、該保持具本体の一側面から前記当接部に対して直交するように延設され、前記当接部を前記軽量形鋼材の壁部の外壁面に当接させた状態で、前記軽量形鋼材において前記当接部が当接された壁部に対して隣接し、かつ直交する壁表側の別の壁部の外壁面に当接する突出部が設けられ、前記突出部を前記保持具本体から分断するために機能する分断補助部を突出部に備えたことを要旨とする。
【０００７】
請求項２に記載の発明は、複数の軽量形鋼材を間隔をおいて立設し、前記複数の軽量形鋼材を挟むように壁材を立設してなる軽量間仕切壁内に配設される長尺物を保持する長尺物保持具であって、前記軽量形鋼材に固定される保持具本体を備え、該保持具本体は、前記軽量形鋼材の壁部の外壁面に当接する当接部と、前記長尺物を保持可能な保持部とを備え、前記保持具本体には、該保持具本体の一側面から前記当接部に対して直交するように延設され、前記当接部を前記軽量形鋼材の壁部の外壁面に当接させた状態で、前記軽量形鋼材において前記当接部が当接された壁部に対して隣接し、かつ直交する壁表側の別の壁部の外壁面に当接する突出部が設けられ、前記別の壁部の外壁面に当接した突出部を該別の壁部の外壁面上から排除するために前記突出部を前記保持具本体に向けて回動可能に構成したことを要旨とする。
【０００８】
請求項３に記載の発明は、請求項１又は請求項２に記載の長尺物保持具において、前記突出部は、前記軽量形鋼材を手により掴んだときに手で押圧可能な形状であることを要旨とする。
【０００９】
請求項４に記載の発明は、請求項１〜請求項３のうちいずれか一項に記載の長尺物保持具において、前記当接部には、前記当接部が軽量形鋼材の壁部の外壁面に当接するとともに前記突出部が軽量形鋼材の壁表側の別の壁部の外壁面に当接しているときに前記当接部が当接した壁部と対向する位置に、前記当接部を前記軽量形鋼材に固定する固定部材を挿通可能な固定孔が形成されていることを要旨とする。
【００１０】
請求項５に記載の発明は、請求項４に記載の長尺物保持具において、前記軽量形鋼材の壁部は、該軽量形鋼材の立設方向へ延びる開口部を形成する一対のリップ部よりなり、前記固定孔は、前記軽量間仕切壁の壁表側に位置する一方のリップ部と対向する位置に形成されていることを要旨とする。
【００１１】
請求項６に記載の発明は、請求項１〜請求項５のうちいずれか一項に記載の長尺物保持具において、前記当接部と前記保持部とは、別体であることを要旨とする。
請求項７に記載の発明は、複数の軽量形鋼材を間隔をおいて立設し、前記複数の軽量形鋼材を挟むように壁材を立設してなる軽量間仕切壁内に配設される長尺物を保持する長尺物保持具の前記軽量形鋼材への設置方法であって、前記長尺物保持具は、前記軽量形鋼材の壁部の外壁面に当接する当接部と、前記長尺物を保持可能な保持部とを備えるとともに前記軽量形鋼材に固定される保持具本体と、該保持具本体に設けられ前記保持具本体の一側面から前記当接部に対して直交するように延設された突出部とを備え、前記当接部を軽量形鋼材の壁部の外壁面に当接させ、前記突出部を前記軽量形鋼材において前記当接部が当接された壁部に対して隣接し、かつ直交する壁表側の別の壁部の外壁面に当接させ、前記当接部を前記軽量形鋼材に固定した後、前記突出部を前記当接部から分断し、前記突出部を前記保持具本体から除去することを要旨とする。
【００１２】
請求項８に記載の発明は、複数の軽量形鋼材を間隔をおいて立設し、前記複数の軽量形鋼材を挟むように壁材を立設してなる軽量間仕切壁内に配設される長尺物を保持する長尺物保持具の前記軽量形鋼材への設置方法であって、前記長尺物保持具は、前記軽量形鋼材の壁部の外壁面に当接する当接部と、前記長尺物を保持可能な保持部とを備えるとともに前記軽量形鋼材に固定される保持具本体と、該保持具本体に設けられ前記保持具本体の一側面から前記当接部に対して直交するように延設された突出部とを備え、前記当接部を軽量形鋼材の壁部の外壁面に当接させ、前記突出部を前記軽量形鋼材において前記当接部が当接された壁部に対して隣接し、かつ直交する壁表側の別の壁部の外壁面に当接させ、前記当接部を軽量形鋼材に固定した後、前記突出部を前記保持具本体に向けて回動させ、前記突出部を別の壁部の外壁面上から排除することを要旨とする。
【発明の効果】
【００１３】
本発明によれば、軽量形鋼材の形状如何にかかわらず軽量形鋼材に取り付けることができる。
【発明を実施するための最良の形態】
【００１４】
以下、本発明の長尺物保持具及び長尺物保持具の設置方法の一実施形態を図１〜図７にしたがって説明する。なお、以下の説明において長尺物保持具の「上」「下」は、図１に示す矢印Ｙ１の方向を上下方向とし、「左」「右」は、図１に示すＹ２の方向を左右方向とし、「前」「後」は、図１に示す矢印Ｙ３の方向を前後方向とする。
【００１５】
まず、軽量間仕切壁Ｗについて説明する。図１に示すように、軽量間仕切壁Ｗは、天井（図示せず）と床（図示せず）とに固定された上下一対のランナーＲ（下側のランナーは図示せず）と、該ランナーＲ間に立設された複数の軽量形鋼材Ｐと、該軽量形鋼材Ｐ及び前記ランナーＲに固定されることで立設される壁材Ｗａとから構築されている。壁材Ｗａには、石膏ボードが用いられている。ランナーＲは長尺状をなすとともに、ランナーＲの長さ方向に対して直交する断面視がコ字状をなし、ランナーＲの長さ方向へ延びる開口を有する。そして、ランナーＲが天井と床それぞれに固定された状態では、両ランナーＲの開口が対向するように開口している。
【００１６】
図１及び図２に示すように、軽量形鋼材Ｐは、薄鋼板からなるとともに、軽量形鋼材Ｐの立設方向（矢印Ｙ１に示す上下方向）に対して直交する方向（矢印Ｙ３に示す前後方向）への平断面視が略Ｃ字状をなすＣ型鋼である。なお、軽量形鋼材Ｐにおいて、立設方向に対して直交し、かつ壁材Ｗａによって挟まれる方向（矢印Ｙ３に示す前後方向）を軽量形鋼材Ｐの幅方向とし、幅方向に沿った長さを軽量形鋼材Ｐの幅とする。
【００１７】
軽量形鋼材Ｐは、立設方向に延びる開口部Ｐａと、開口部Ｐａに相対向する背面板部Ｐｂと、背面板部Ｐｂを挟む一対の側板部Ｐｃとからなり、開口部Ｐａと背面板部Ｐｂとは相対向し、一対の側板部Ｐｃは相対向している。また、開口部Ｐａは、一対の側板部Ｐｃから延設された相対向する一対のリップ部Ｐｄの間に形成されているとともに、各リップ部Ｐｄは背面板部Ｐｂと相対向している。背面板部Ｐｂ、一対の側板部Ｐｃ、及びリップ部Ｐｄは軽量形鋼材Ｐの壁部を形成しており、リップ部Ｐｄ、背面板部Ｐｂ及び一対の側板部Ｐｃの外壁面は、平滑面となっている。
【００１８】
そして、軽量間仕切壁Ｗを構築するには、まず、図１に示すように天井と床に固定された上下ランナーＲの上下間へ軽量形鋼材Ｐの上端部及び下端部をそれぞれ挿入し、ランナーＲを用いて軽量形鋼材Ｐを立設する。このとき、軽量形鋼材ＰはランナーＲに対して固定されず、ランナーＲの長さ方向へスライド移動可能になっている。また、このとき、複数の軽量形鋼材Ｐの開口部Ｐａ（図２参照）が同じ方向に向けられるとともに、一対の側板部Ｐｃのうち壁材Ｗａが設置される側（前側及び後側）の側板部Ｐｃは、それぞれ同一平面上に配置されている。
【００１９】
次に、壁材Ｗａの上下方向へ延びる両側縁部及び該両側縁部間の中央部に軽量形鋼材Ｐが位置するように軽量形鋼材ＰをランナーＲに沿ってスライド移動させた後、壁材Ｗａを図示しないビスによってランナーＲに固定するとともに、壁材Ｗａと軽量形鋼材Ｐとを図示しないビスによって固定すると、軽量間仕切壁Ｗが構築される。
【００２０】
次に、軽量形鋼材Ｐに設置される長尺物保持具１について説明する。図２に示すように、長尺物保持具１は、合成樹脂よりなるとともに矩形板状である当接部としての取付台座２と、長尺物としての電線管４０（図１及び図４参照）を保持可能な保持部４とを備える保持具本体５と、保持具本体５から突設されている突出部３とから構成されている。
【００２１】
保持具本体５が備える取付台座２は、その一側辺（短側辺）方向（一方向）に沿った長さＬが軽量形鋼材Ｐの幅より短くなっている。取付台座２には、その一面に取付台座２を軽量形鋼材Ｐに固定する際に、軽量形鋼材Ｐの背面板部Ｐｂ又はリップ部Ｐｄに当接する当接面１０が設けられている。取付台座２の一面には、該一面と相対向する他面側に向って取付凹所１１が凹設され、取付台座２の一面には段差が形成されている。取付台座２の一面において、前記取付凹所１１には一対の嵌合凹部１２が設けられ、一対の嵌合凹部１２の間であって取付台座２の中央となる位置には、取付台座２の厚み方向に貫通する取付孔１３が設けられている。取付孔１３は、取付台座２の一側辺（短側辺）方向に沿うように長孔状に形成されている。また、取付台座２の長側辺近傍の当接面１０からは突き当たり部１４が３つ突設されており、突き当たり部１４の端面は、当接面１０から連続するように延びている。突き当たり部１４は、その端面が軽量形鋼材Ｐの角部に沿うような曲面となっている。そして、図３に示すように、取付台座２の他面は、保持部４が取り付けられて保持部４と対向する平面状の取付面１５となっている。
【００２２】
取付台座２には、略円孔状をなす複数の（本実施形態では５つ）固定孔１６が取付台座２の厚み方向へ貫通するように設けられ、各固定孔１６は取付台座２自体を軽量形鋼材Ｐに固定する固定部材としてのねじＮを挿通可能に形成されている。固定孔１６は、取付台座２の一側辺寄り（図３における左側）に固定孔１６が取付台座２の長側辺に沿うように３つ一列に配列されるとともに、一側辺（短側辺）方向における中央に２つの固定孔１６が長側辺に沿って取付孔１３を間に挟むようにして配設されている。そして、図２に示すように、取付台座２の長側辺に沿うように形成された３つの固定孔１６のうち上下方向における中央の固定孔１６は、上下方向において突き当たり部１４の間に位置している。各固定孔１６は、その貫通方向の長さが取付台座２の厚みと同じであり、固定孔１６の貫通方向に沿った長さは、該固定孔１６に挿通されたねじＮが固定孔１６の内面に当接することでねじＮの傾倒を防止可能とする長さになっている。そして、図４に示すように、取付台座２を軽量形鋼材Ｐに取り付ける際、取付台座２の当接面１０は、軽量形鋼材Ｐの壁部である背面板部Ｐｂの外壁面に当接するようになっている。この当接状態において、取付台座２の一側辺寄りに位置する３つの固定孔１６にねじＮが挿通され、軽量形鋼材Ｐの背面板部Ｐｂへ螺入されるようになっている。
【００２３】
また、図２に示すように、取付台座２の一側面２ａ（保持具本体５の一側面）において、取付台座２の一側辺に直交する他側辺（長側辺）方向における中央部から突出部３が突設されるとともに、突出部３は、その間に１つの突き当たり部１４が位置するように配置されている。この突出部３は、所定の厚みを有するとともに、成人男性の手、具体的には指によって押圧可能な平板状に形成されている。なお、突出部３の表面３ａとは、取付台座２が軽量形鋼材Ｐに取り付けられた時に、壁表側に臨む面のことであり、突出部３の裏面３ｂは表面３ａと相対向する面のことである。そして、突出部３の裏面３ｂは、取付台座２の当接面１０と直交する面であるとともに取付台座２の一側面２ａと同一平面上に位置する平面である。また、突出部３は、指で押圧されてもガタ付くような不都合は発生せず、指で押圧するのに適したサイズに形成されている。突出部３は、表面３ａを軽量形鋼材Ｐに向けて押圧したとき、突出部３そのものが自身を回転軸として軽量形鋼材Ｐ上で回転しないように全体が平板状に形成されている。また、突出部３は、表面３ａを軽量形鋼材Ｐに向けて押圧したとき、突出部３を回動中心とした取付台座２の軽量形鋼材Ｐに向かう方向への回動及び軽量形鋼材Ｐ後方への移動を防止する大きさに形成されている。
【００２４】
そして、突出部３は、基端が取付台座２の一側面２ａに連結された一対の突設部２０と、一対の突設部２０の先端間に架設された架設部２１とから構成され、正面視コ字状に形成されている。そして、突出部３の表面３ａには、突設部２０の延びる方向に沿って形成された溝状凹部２０ａと、架設部２１の中央に形成された窪み部２１ａとが形成されている。突出部３は、溝状凹部２０ａと窪み部２１ａとが形成されることで、突出部３の剛性を高めるリブ形状になっている。また、突設部２０の基端２０ｂは、取付台座２の一側面２ａと連結し、突設部２０の先端より厚みが小さく容易に分断されるように構成されている。突設部２０の基端２０ｂは、突出部３が取付台座２に向って回動された時に突出部３の分断の起点となる易折曲部となっている。
【００２５】
また、図６に示すように、架設部２１の外側面２１ｂには、挿入凹所２２が凹設されている。この挿入凹所２２は、突出部３の裏面３ｂが軽量形鋼材Ｐの側板部Ｐｃに当接した状態において、突出部３の裏面３ｂと側板部Ｐｃの外壁面との間に隙間が形成されるように外方に向けて開放されている。そして、その隙間、すなわち、挿入凹所２２には、ドライバ（マイナス）Ｄ等の工具の先端を挿入することが可能になっており、挿入凹所２２へドライバＤの先端が挿入された状態でドライバＤを傾動させると、ドライバＤの先端が挿入凹所２２の内面に係合するようになっている。すなわち、挿入凹所２２の内面が、ドライバＤが係合する被係合部を構成しており、被係合部は、突出部３を取付台座２から分断する作業を行う際に機能する分断補助部として構成されている。また、図２に示すように、突設部２０と取付台座２の一側面２ａとの連結箇所の近傍には、それぞれ細溝状をなす挿入溝２３が凹設されており、この挿入溝２３には、ドライバＤの先端を挿入することが可能になっている。
【００２６】
また、突設部２０と架設部２１とによって区画される空間は、透孔２４として構成され、図７に示すように、透孔２４には把持工具としてのペンチ１００の一方の把持片１００ａの先端が挿入可能になっている。そして、透孔２４にペンチ１００の一方の把持片１００ａを挿入し、一方の把持片１００ａとペンチ１００の他方の把持片１００ｂとで、架設部２１の一部を把持することが可能となっている。すなわち、架設部２１において透孔２４に並ぶ部位はペンチ１００によって把持される被把持部２１ｃを構成しており、被把持部２１ｃは、突出部３を取付台座２から分断する作業を行う際に機能する分断補助部として構成されている。
【００２７】
図２に示すように、取付台座２に取着可能に構成された保持部４は、合成樹脂材料よりなるとともに平面視がＣ字状に形成されている。保持部４は、四角板状をなす基板３０を備え、基板３０は、その平面視におけるサイズを取付台座２のサイズ内に収まるように構成されている。また、基板３０における一対の側縁部からは、それぞれ弾性変形可能な一対の挟持腕３１が延設されている。
【００２８】
一対の挟持腕３１の先端には、それぞれ断面視半円弧状であるとともに先端側の面が円弧面である係合突起３２が互いに対向する挟持腕３１に向うように突設されている。そして、図４に示すように、一対の挟持腕３１の先端部間の距離Ｔ１は、基端部間の距離Ｔ２より小さくなっている。また、一対の挟持腕３１の先端部間の距離Ｔ１は、電線管４０の外径より小さくなっており、一対の挟持腕３１の先端部間から一対の挟持腕３１の内側へ電線管４０が嵌入されるようになっている。基板３０の一面からは、挟持腕３１の先端に向かって当接片３３が突設されるとともに、当接片３３は、その先端面が電線管４０の外周に沿った湾曲面に形成されている。当接片３３は、基板３０の一面に対して上下方向における中央に位置している。
【００２９】
また、図５に示すように、保持部４の基板３０には、挟持腕３１が延びる方向とは相反する方向へ延びるように取着突部３４が設けられ、保持部４は、取着突部３４を以って取付台座２に取り付けられるようになっている。取着突部３４は、挟持腕３１とは相反する方向へ突設された支軸３５と支軸３５の先端に設けられた平面視略楕円形状の平板３６とを備える。
【００３０】
平板３６は、取付孔１３の外形とほぼ同様の外形に形成されるとともに、基板３０と対向する面である平板３６の背面３６ａには、嵌合突起３７が一対設けられている。そして、一対の嵌合突起３７は、弾性変形可能であるとともに、保持部４が取付台座２に取り付けられた状態においてそれぞれ一対の嵌合凹部１２に嵌合可能に構成されている。
【００３１】
なお、保持部４が取付台座２に取り付けられた状態において、取着突部３４は、取付凹所１１内に位置しており、取付凹所１１からはみ出ないように形成されている。詳述すると、取着突部３４の基板３０からの突出距離は、保持部４が取り付けられた取付台座２を軽量形鋼材Ｐに固定した時であっても、軽量形鋼材Ｐと接触しないような突出距離に設定されている。
【００３２】
次に、長尺物保持具１の軽量形鋼材Ｐへの設置方法について説明する。
なお、図示しない配線ボックスは軽量形鋼材Ｐの背面板部Ｐｂに取り付けられており、配線ボックスに接続される電線管４０を軽量形鋼材Ｐの立設方向に沿うように配設するために、長尺物保持具１を軽量形鋼材Ｐに設置する。
【００３３】
まず、突出部３が突設されている状態の取付台座２を用意し、この取付台座２に保持部４を取り付ける作業を行う。取付台座２に保持部４を取り付ける作業としては、まず、取付孔１３に保持部４の取着突部３４を挿入した後、取付孔１３に取着突部３４が挿入された位置から取着突部３４の嵌合突起３７が嵌合凹部１２に嵌合される位置に至るまで、取着突部３４の支軸３５を中心として保持部４を回転させる装着作業を行う。この装着作業において嵌合突起３７は、嵌合凹部１２に至るまで平板３６と取付台座２とによって挟まれて弾性変形し、嵌合凹部１２に至ると元の形状に戻って嵌合凹部１２に嵌合される。また、この時、取着突部３４における平板３６の両端部は取付孔１３の周囲に係止される。すると、保持部４は取付台座２に取り付けられて取付台座２と一体になる。なお、保持部４が取付台座２に取り付けられている状態で、基板３０は、取付面１５に当接し、保持部４は、取付台座２のサイズ内に収まるため、保持部４が取付台座２の一側辺より突出することはない。
【００３４】
そして、長尺物保持具１を軽量形鋼材Ｐの背面板部Ｐｂに設置する作業を行う。この作業では、まず、取付台座２の当接面１０を軽量形鋼材Ｐの壁部としての背面板部Ｐｂの外壁面に当接させ、当接面１０を背面板部Ｐｂの外壁面と同一平面に位置させる。さらに、突出部３の裏面３ｂを軽量形鋼材Ｐにおいて、背面板部Ｐｂに隣接し、かつ直交する別の壁部である側板部Ｐｃの外壁面に当接させる。そして、図４に示すように、軽量形鋼材Ｐをリップ部Ｐｄ側から手で掴むとともに突出部３を手で掴み、親指によって突出部３の表面３ａを押圧して突出部３の裏面３ｂを側板部Ｐｃに押し当てて取付台座２を軽量形鋼材Ｐの所定の位置に保持する。そして、取付台座２が軽量形鋼材Ｐに保持されることによって、取付台座２に取り付けられた保持部４も軽量形鋼材Ｐに保持される。
【００３５】
次に、保持部４及び取付台座２が軽量形鋼材Ｐに保持された状態で、取付台座２の一側辺寄りに形成された３つの固定孔１６にねじＮを挿入し、背面板部ＰｂへねじＮを強制的に螺入する。すると、取付台座２が軽量形鋼材Ｐに固定されるとともに、取付台座２を介して保持部４が軽量形鋼材Ｐに設置される。次に、図６に示すように、挿入凹所２２に工具としてのドライバＤの先端を挿入し、この状態で、ドライバＤを取付台座２側に傾動する。すると、突出部３は、突設部２０の基端２０ｂ（易折曲部）を中心として取付台座２側に回動される（図６の二点鎖線で示す）。そして、このドライバＤの傾動を繰り返すことにより突設部２０の基端２０ｂは破断し、突出部３は、取付台座２から除去される。突出部３が取付台座２から除去されると、保持具本体５だけが軽量形鋼材Ｐに固定された状態となる。次に、図５に示すように、保持部４の挟持腕３１の先端間から電線管４０を挿入し、電線管４０の外周面を当接片３３の先端面に当接させる。この時、電線管４０は、挟持腕３１の先端に形成された係合突起３２によって挟持される。すると、保持部４に電線管４０が保持され、保持具本体５により電線管４０は軽量形鋼材Ｐの立設方向に沿わせた状態に保持される。
【００３６】
一方、図示しない配線ボックスが軽量形鋼材Ｐのリップ部Ｐｄに取り付けられている場合は、長尺物保持具１を軽量形鋼材Ｐのリップ部Ｐｄに設置する作業を行う。このとき、長尺物保持具１を背面板部Ｐｂに設置する場合と同様の手順で当接面１０をリップ部Ｐｄの外壁面に当接させ、突出部３の裏面３ｂをリップ部Ｐｄに隣接し、かつ直交する別の壁部である側板部Ｐｃの外壁面に当接させる。そして、軽量形鋼材Ｐを背面板部Ｐｂ側から手で掴むとともに突出部３を手で掴み、親指によって突出部３の表面３ａを押圧して突出部３の裏面３ｂを側板部Ｐｃに押し当てて取付台座２を軽量形鋼材Ｐの所定の位置に保持する。当接面１０がリップ部Ｐｄの外壁面に当接している状態では、取付台座２の一側辺寄りに形成された固定孔１６は、壁表側に位置する一方のリップ部Ｐｄと対向する位置に位置する。そして、ねじＮを固定孔１６に挿入し、リップ部Ｐｄへ強制的に螺入することで、取付台座２を軽量形鋼材Ｐに固定することができる。次に、挿入凹所２２にドライバＤの先端を挿入し、この状態で、ドライバＤを取付台座２側に傾動する。すると、突出部３は、突設部２０の基端２０ｂ（易折曲部）を中心として取付台座２側に回動される。そして、このドライバＤの傾動を繰り返すことにより突設部２０の基端２０ｂは破断し、突出部３は、取付台座２から除去されて、保持具本体５だけが軽量形鋼材Ｐに固定された状態となる。
【００３７】
上記実施形態によれば、以下のような効果を得ることができる。
（１）長尺物保持具１は、軽量形鋼材Ｐの背面板部Ｐｂ又はリップ部Ｐｄの外壁面に当接する取付台座２と、該取付台座２に一体に設けられた保持部４とを備える保持具本体５と、保持具本体５から突設されている突出部３とから構成されている。そして、長尺物保持具１を軽量形鋼材Ｐに設置する場合に、軽量形鋼材Ｐの背面板部Ｐｂ又はリップ部Ｐｄの外壁面に当接面１０を当接させるとともに側板部Ｐｃの外壁面に突出部３を当接させ、ねじＮを背面板部Ｐｂ又はリップ部Ｐｄに螺入するだけで長尺物保持具１を軽量形鋼材Ｐに取り付けることができる。したがって、長尺物保持具１は、背景技術とは異なり、長尺物保持具１の一部を軽量形鋼材Ｐの開口部Ｐａの内側へ挿入する必要がなく、また、リップ部Ｐｄを挟着することなく軽量形鋼材Ｐに取り付けることができる。したがって、長尺物保持具１は軽量形鋼材Ｐの背面板部Ｐｂ及びリップ部Ｐｄのどちらにも取り付けることができ、軽量形鋼材Ｐの形状如何にかかわらず軽量形鋼材Ｐに取り付けることができる。
【００３８】
（２）取付台座２の当接面１０を背面板部Ｐｂ又はリップ部Ｐｄに当接させながら、手で突出部３を保持することで長尺物保持具１を軽量形鋼材Ｐに保持することができ、その保持状態のまま、ねじＮを用いて長尺物保持具１を軽量形鋼材Ｐに取り付けることができる。これに対し、背景技術の配管支持装置では圧着体を軽量形鋼材の底部に圧着させ、挟着部をリップ部に挟着させなければ配管支持装置を軽量形鋼材Ｐに取り付けることができない。よって、本実施形態の長尺物保持具１は、背景技術に比して軽量形鋼材Ｐへの設置が簡単である。
【００３９】
（３）突出部３には、分断補助部としての被係合部や、被把持部２１ｃが設けられているため、突出部３を取付台座２から容易に折り曲げることができる。したがって、突出部３の取付台座２からの除去作業を容易に行うことができる。
【００４０】
（４）突出部３は、軽量形鋼材Ｐを手で掴んだ時にその表面３ａを親指（手）で押圧することが可能な形状に形成されている。そして、親指（手）によって突出部３を側板部Ｐｃとの間に挟持することにより、長尺物保持具１を軽量形鋼材Ｐに保持することができる。このため、ねじＮをリップ部Ｐｄや背面板部Ｐｂに螺入する際に、長尺物保持具１に大きな力が作用しても、軽量形鋼材ＰがランナーＲに沿って移動することを手によって防止できる。そして、長尺物保持具１は、軽量形鋼材Ｐに対して位置ずれすることが防止され、長尺物保持具１を軽量形鋼材Ｐに取り付ける作業を容易に行うことができる。
【００４１】
（５）突出部３は、全体に平板状をなすとともに、表面３ａから前方へ向けて突設される部位は存在せず、突出部３の外形のサイズは、親指によって押圧しやすいサイズに形成されている。このため、軽量形鋼材Ｐを手で掴んだとき、突出部３の表面３ａを押圧し易く、長尺物保持具１を軽量形鋼材Ｐに保持する作業を支障なく行うことができる。
【００４２】
（６）取付台座２には一列に配列されるように固定孔１６が設けられている。そして、長尺物保持具１を軽量形鋼材Ｐの背面板部Ｐｂ側から設置する時、固定孔１６は背面板部Ｐｂに対応するように位置し、長尺物保持具１を軽量形鋼材Ｐのリップ部Ｐｄ側から設置する時、固定孔１６は壁表側のリップ部Ｐｄに対応するように位置する。したがって、長尺物保持具１を軽量形鋼材Ｐの背面板部Ｐｂ側及びリップ部Ｐｄ側のどちらに設置する場合であっても、ねじＮによって長尺物保持具１を軽量形鋼材Ｐに固定することができる。
【００４３】
（７）保持部４と、取付台座２とは、別体に構成されている。したがって、保持する電線管４０の種類に合わせて長尺物保持具１全体を取り換えなくとも、電線管４０の種類に合わせて取付台座２に取り付ける保持部４を取り換えるだけで対応することができる。
【００４４】
（８）長尺物保持具１を軽量形鋼材Ｐに固定した後は、突出部３は、長尺物保持具１から除去される。このため、長尺物保持具１が軽量形鋼材Ｐに固定された後、突出部３が除去されず、側板部Ｐｃ上に突出部３が存在することで、突出部３の厚みによって壁材Ｗａの立設位置が予め設定された位置からずれてしまうことを防止できる。
【００４５】
（９）取着突部３４における平板３６の両端部は、取付孔１３に挿入された時、取付孔１３の周囲に係止されるように構成されている。したがって、取付台座２に取り付けられた保持部４に作業者が誤って接触したような場合であっても、取着突部３４が取付孔１３から抜けてしまい、保持部４が取付台座２から脱落することを抑制できる。
【００４６】
（１０）取着突部３４は、取付凹所１１に設けられた一対の嵌合凹部１２と嵌合可能な一対の嵌合突起３７を備える。したがって、嵌合突起３７を嵌合凹部１２に嵌合させることで、取付台座２に取り付けられた保持部４が支軸３５を回動中心として回動することを抑制できる。
【００４７】
（１１）取付台座２に形成された固定孔１６のうち上下方向における中央の固定孔１６は、上下方向において突き当たり部１４の間に位置している。したがって、取付台座２の他側辺（長側辺）に沿うように形成された固定孔１６のうち上下方向における中央の固定孔１６からねじＮを背面板部Ｐｂ又はリップ部Ｐｄに螺入した時、２つの突き当たり部１４が軽量形鋼材Ｐに突き当たることで、長尺物保持具１がねじＮを中心として回転することを防止することができる。その結果として、１つのねじＮだけで長尺物保持具１を軽量形鋼材Ｐに回転不能に取り付けることができ、ねじＮを２つ、３つ用いる場合に比して長尺物保持具１の軽量形鋼材Ｐへの取付作業を簡単に行うことができる。
【００４８】
（１２）当接面１０から連続するように延びている突き当たり部１４の端面は、軽量形鋼材Ｐの角部に沿うような曲面となっている。したがって、当接面１０を背面板部Ｐｂ又はリップ部Ｐｄに当接させ、突出部３の裏面３ｂを側板部Ｐｃに当接させた状態では、突き当たり部１４が軽量形鋼材Ｐの角部に係止するようになっている。このため、突出部３とともに長尺物保持具１を軽量形鋼材Ｐの所定位置に保持することができる。
【００４９】
（１３）基板３０の一面からは、先端面が電線管４０の外周に沿った湾曲面に形成された当接片３３が突設されている。そして、保持部４によって電線管４０を保持する際に当接片３３の先端面を電線管４０の外周面に当接させることで、電線管４０は、挟持腕３１以外に当接片３３によっても支持されるようになる。したがって、長尺物保持具１は、安定的に電線管４０を保持できる。
【００５０】
（１４）一対の挟持腕３１の先端には、それぞれ断面視半円弧状であるとともに先端側の面が円弧面である係合突起３２が互いに対向する挟持腕３１に向うように突設されている。したがって、電線管４０を挟持腕３１の先端間から挿入する作業を行う際に、係合突起３２がその挿入作業の邪魔になることはなく、また、挟持腕３１が電線管４０を挟持している時に電線管４０は、係合突起３２に好適に係合するため、電線管４０が保持部４から抜けることを抑制できる。
【００５１】
なお、上記実施形態は、以下のように変更してもよい。
○  取付台座２を軽量形鋼材Ｐに固定して、突出部３を取付台座２から除去した後に、保持部４を取付台座２に取り付けてもよい。
【００５２】
○  図８及び図９に示すように、取付台座２を備える保持具本体５に対し突出部３が回動可能となるように形成してもよい。例えば、突出部３は、金属材料よりなり、取付台座２に対して別体形成する。そして、突出部３において、取付台座２側は薄板状に形成された連結片５０よりなり、連結片５０によって突出部３を取付台座２に連結する。そして、連結片５０にはその長さ方向に延びる細孔５０ａを形成して、長尺物保持具１を用いて電線管（図示せず）が軽量形鋼材Ｐに設置された後、図９に示すように、別の壁部たる側板部Ｐｃに当接した突出部３を該側板部Ｐｃから排除するために突出部３を回動させる。すなわち、連結片５０の基端を折り曲げ、折り曲げ箇所を回動中心として突出部３を保持具本体５（取付台座２の取付面１５）に向けて回動させる。このとき、細孔５０ａによって、突出部３の折り曲げが容易となっている。その結果、軽量形鋼材Ｐの側板部Ｐｃ上に位置していた突出部３を側板部Ｐｃ上から排除することができ、突出部３の厚みによって壁材Ｗａの立設位置が予め設定された位置からずれてしまうことを防止できる。
【００５３】
○  突出部３に被把持部２１ｃのみを設けるとともに、挿入凹所２２を削除してもよく、突出部３に挿入凹所２２のみを設けるとともに被把持部２１ｃを削除してもよい。
○  取付台座２に設ける取付孔１３の数については、特に限定されない。取付台座２に取り付ける保持部４の数や、保持部４が備える取着突部３４の数に応じて、取付孔１３を一つ又は複数設けてもよい。
【００５４】
○  取付台座２に取付孔１３を設ける代わりに、取付台座２に取付凹部を凹設してもよい。この場合、例えば、取付け凹部に雌ねじ部を形成し、保持部４の基板３０を貫通した取付けねじを取付凹部に螺合させることで、取付台座２に保持部４を取り付けるようにしてもよい。
【００５５】
○  突出部３の形状は軽量形鋼材Ｐを手により掴んだときに手で押圧可能な形状であればよく、突出部３の形状を正面視コ字状から他の形状に変更してもよい。例えば、突出部３の形状を正面視Ｕ字状や、正面視長方形状に変更してもよい。
【００５６】
○  当接部と保持部４とを別体に構成する代わりに、当接部と保持部４とを一体に構成してもよい。例えば、取付台座２を省略し、保持部４の基板３０に対してその厚み方向に貫通する固定孔を設け保持部４を保持具本体とするとともに、基板３０の側面から突出部３が突設するように変更してもよい。そして、基板３０を当接部とし、挟持腕３１が設けられている面とは反対側の面を当接面として、基板３０に対して直交するように突出部３を延設する。そして、基板３０を軽量形鋼材Ｐの背面板部Ｐｂ又はリップ部Ｐｄに当接させるとともに突出部３を側板部Ｐｃに当接させた状態で保持する。その後、固定部材としてのねじＮを固定孔に挿通して背面板部Ｐｂ又はリップ部Ｐｄに螺入すれば、当接部と保持部４とが一体であっても長尺物保持具は軽量形鋼材Ｐに設置される。
【００５７】
○  保持部４による電線管４０の保持は、挟持腕３１による電線管４０の挟持によって行わなくともよい。例えば、長尺物保持具が金属製の電線管４０を対象にして保持する場合には、挟持腕３１を省略し基板３０に電線管４０を吸着できる程度に着磁された永久磁石を埋め込めばよい。このように構成すれば、永久磁石によって電線管４０を吸着することで電線管４０を保持部４に保持させることができる。
【００５８】
○  軽量形鋼材Ｐは、Ｃ型鋼ではなく角型鋼でもよい。角型鋼は、Ｃ型鋼と異なり開口部を有しないが、本実施形態の長尺物保持具１は、開口部の有無、すなわち、軽量形鋼材Ｐの形状にかかわらず取り付けることができる。
【００５９】
○  軽量間仕切壁Ｗ内に配設され、軽量形鋼材Ｐに設置される電線管４０以外の長尺物を長尺物保持具１を用いて設置してもよい。例えば、上下水道の配管に使用されるサヤ管、ケーブル、エアコンのドレン管を長尺物保持具１を用いて軽量形鋼材Ｐに設置してもよい。
【図面の簡単な説明】
【００６０】
【図１】本実施形態における軽量間仕切壁を示す斜視図。
【図２】本実施形態の長尺物保持具を示す分解斜視図。
【図３】本実施形態の取付台座を示す正面図。
【図４】軽量形鋼材に長尺物保持具を保持した状態を示す断面図。
【図５】軽量形鋼材に固定された長尺物保持具を示す側断面図。
【図６】ドライバの傾動により突出部を折り曲げた状態を示す斜視図。
【図７】ペンチで突出部を把持した状態を示す斜視図。
【図８】突出部の別例を示す斜視図。
【図９】突出部を回動させた状態を示す斜視図。
【符号の説明】
【００６１】
Ｎ…固定部材としてのねじ、Ｐ…軽量形鋼材、Ｗ…軽量間仕切壁、Ｐａ…開口部、Ｐｂ…壁部としての背面板部、Ｐｃ…別の壁部としての側板部、Ｐｄ…壁部としてのリップ部、Ｗａ…壁材、１…長尺物保持具、２…当接部としての取付台座、２ａ…一側面、３…突出部、４…保持部、５…保持具本体、１２…嵌合凹部、１３…取付孔、１６…固定孔、２１ｃ…分断補助部としての被把持部、４０…長尺物としての電線管。
【図１】
2008089050.tif 000003
【図２】
2008089050.tif 000004
【図３】
2008089050.tif 000005
【図４】
2008089050.tif 000006
【図５】
2008089050.tif 000007
【図６】
2008089050.tif 000008
【図７】
2008089050.tif 000009
【図８】
2008089050.tif 000010
【図９】
2008089050.tif 000011